(57)【要約】      （修正有）【課題】二輪車用Ｖ型２気筒エンジンに使用されている従来のブリーザーボルトをそのまま代替可能であって、クランクケース内圧が高まり過ぎないよう制御可能なブリーザーボルトを提供する。【解決手段】エンジンへのエアクリーナ取付ボルトを兼用するブリーザーボルト１であって、クランクケースとエアクリーナーとを連通する通気路１４を有する本体ボルト１０と、通気路のクランクケース側に嵌合させた貫通孔２２を有するインナーボルト２０と、通気路内に封入されたＯリング３０、チェックボール４０、スプリング５０とを備え、通気路内において、スプリングがチェックボールをＯリングに密着させることにより、通気路を閉鎖可能に構成してなる。【選択図】図６
0003208858.tif 000002
【実用新案登録請求の範囲】
【請求項１】
エンジンへのエアクリーナ取付ボルトを兼用するブリーザーボルトであって、クランクケースとエアクリーナーとを連通する通気路を有する本体ボルトと、通気路のクランクケース側に嵌合させた貫通孔を有するインナーボルトと、通気路内に封入されたＯリング、チェックボール、スプリングとを備え、通気路内において、スプリングがチェックボールをＯリングに密着させることにより、通気路を閉鎖可能に構成してなることを特徴とする、ブリーザーボルト。
【考案の詳細な説明】
【技術分野】
【０００１】
本考案は、自動二輪車のエンジン用のブリーザーボルトに関し、より具体的には、Ｖ型２気筒エンジン用のブリーザーボルトに関する。
【背景技術】
【０００２】
二輪車や四輪車等に搭載されるエンジンは、運転中に燃焼室内で発生する高圧ガスがピストンとシリンダとの隙間を通って微量ずつクランクケース内に漏出している。また、クランクケース内の気圧はピストンの摺動に伴い絶えず変動するため、クランクケースが密封状態であると、その内部のガス、いわゆるブローバイガスの圧力がピストンの動きを妨げてエンジンの効率を低下させることになる。そのため、ブローバイガスを外部に逃がすためのブリーザー通路を設ける必要があるが、オイルミストや未燃焼ガスを含むブローバイガスの大気中への放出による環境汚染を防ぐために、ブリーザー通路を介してエアクリーナーに還流し、エンジンで再燃焼させる構造が採用されている。
【０００３】
ブリーザー通路は、四輪車はもとより二輪車用エンジンの場合であっても、特許文献１に示すように、クランクケースとエアクリーナーとをホースで接続する方式が一般的であるが、ハーレー・ダビッドソン（登録商標）に代表される大型二輪車の一部で採用されているオーバーヘッドバルブ式Ｖ型２気筒エンジンでは、図１乃至図５に例示した写真のように、各気筒のクランクケースに繋がる孔に、通気路を有するボルト、いわゆるブリーザーボルトでエアクリーナーを直接取り付ける方式が採用されている。この場合、ブリーザーボルトは、それ自体がブリーザー通路となると同時に、エアクリーナをエンジンに締結する役割を果たしている。なお、写真のオーバーヘッドバルブ式Ｖ型２気筒エンジンでは、ブリーザーボルトを装着するボルト孔はクランクケースではなくシリンダヘッドの側面に設けられているが、これは燃焼室に繋がるものではない。該エンジンでは、クランクの動きによりバルブ機構を駆動するプッシュロッドを納めたプッシュロッドカバーを通気路として使用しており、クランクケース内のブローバイガスは、プッシュロッドカバー内を経由してシリンダーヘッド側に送られ、ボルト孔を通って排気される構造になっている。
【特許文献１】特開２０００−１７９４０６号公開公報
【０００４】
しかし、従来のブリーザーボルトは、通気路を通して双方向に通気可能な構造であったため、ダウンストローク（ピストン降下）時にはブローバイガスを排出してクランクケース内圧を低下させる一方、アップストローク（ピストン上昇）時には逆にエアークリーナー側からクランクケース内に空気を吸い込むため、クランクケース内の気圧が大きく変動するだけでなく、吸排気の空気抵抗が往復で生じ、エンジンの出力発揮の阻害要因となっていた。
【考案の開示】
【考案が解決しようとする課題】
【０００５】
本考案は、かかる問題を解決することを目的として創作されたものであり、二輪車用Ｖ型２気筒エンジンに使用されている従来のブリーザーボルトをそのまま代替可能であって、クランクケース内圧が高まり過ぎないよう制御可能なブリーザーボルトを提供することを目的とするものである。
【０００６】
かかる目的を達成するため、請求項１に記載した考案は、エンジンへのエアクリーナ取付ボルトを兼用するブリーザーボルトであって、クランクケースとエアクリーナーとを連通する通気路を有する本体ボルトと、通気路のクランクケース側に嵌合させた貫通孔を有するインナーボルトと、通気路内に封入されたＯリング、チェックボール、スプリングとを備え、通気路内において、スプリングがチェックボールをＯリングに密着させることにより、通気路を閉鎖可能に構成してなることを特徴とする。
【０００７】
本考案に係るブリーザーボルトにおいては、チェックボールは、その直径を通気路の内径より僅かに小さく構成しており、通気路内を自由に移動可能としている。また、通気路内では、スプリングのエアクリーナー側端を固定し、クランクケース側端をチェックボールに当接させている。また、Ｏリングは、通気路の内壁に設けた周溝に嵌合させることでインナーボルトの内側の位置に固定しており、その内径はチェックボールの直径よりも小さく構成している。
【０００８】
かかる構成により、クランクケース内のガス圧が大気圧と同等またはそれ以下の場合には、スプリングの反撥力によりチェックボールがＯリングに当接させられることにより通気路が閉鎖される。一方、クランクケース内のガス圧が高圧となった場合には、インナーボルトの貫通孔を通じて通気路内に侵入したガスがチェックボールを押圧し、スプリングの反撥力に抗してエアクリーナー側にチェックボールを移動させる。これによりチェックボールとＯリングが離反するため、通気路内壁とチェックボールとの隙間を通じてガスが通気路内を通過し、エアクリーナー内へと放出される。そして、ガスの放出によりクランクケース内の圧力が低下すると外気圧によりチェックボールがＯリングまで押し戻され、再び通気路は閉鎖される。すなわち、チェックボールとＯリングはその離合により、通気路を開閉するバルブ機構を構成するのである。
【０００９】
従来のブリーザーボルトではクランクケースとエアクリーナーとの間で常時双方向の通気を許していたのに対し、本考案に係るブリーザーボルトは、クランクケースからのブローバイガスの排出は許すが、エアクリーナー側からクランクケース側への空気の吸入は遮断する一方通行の通気となる。これにより、クランクケース内は常時負圧状態が維持されるとともに、双方向の通気を許した場合に比べて気圧の変動も抑制される。
【考案の効果】
【００１０】
本考案に係るブリーザーボルトは、単にブローバイガスを排出するだけでなく、クランクケース内を常時負圧状態に維持することで、ピストンの上下運動への気圧抵抗を低減させるだけでなく、クランクケース内圧の変動も抑制される。また、ブリーザ通路における空気抵抗は排気時のみしか生じず、エアクリーナーにおける通気量の変動も抑制される。以上の作用によりエンジン自体の機械的効率が高まるため、出力や燃費の向上、オイル漏出の低減を図れるほか、アクセルのオンオフ時のギクシャク感を低減し、急激なエンジンブレーキをマイルドにするなど、体感上の良好な効果も奏する。
【考案を実施するための最良の形態】
【００１１】
以下、本考案の実施形態について図を用いて詳細に説明する。図６は本考案に係るブリーザーボルト１の外観及び構成部品を分解した状態示す図であり、手前側がクランクケースへの取付部側、反対側がエアクリーナーへの取付部側を示す。ブリーザーボルト１は、本体ボルト１０、インナーボルト２０、Ｏリング３０、チェックボール４０、スプリング５０とから構成される。構成部品の素材は鋼製とし、Ｏリング３０は鋼製または耐熱性の高い樹脂製でも良いが、耐摩耗性や騒音抑制の観点からゴム製が好適である。
【００１２】
本体ボルト１０は、クランクケースの取付孔に羅合締結させるネジ部１１、六角ナット部１２、頭部１３を有し、内部にはクランクケース側端からエアクリーナ側端へと貫通する通気路１４を設けている。また、通気路１４の内側面において、ネジ部１１のクランクケース側の位置にはインナーボルト２０を貫入羅合せしめるための内ネジとＯリング３０を固定する周溝１５を、六角ナット部１２の位置にはスプリング５０のエアクリーナー側端を固定する段差１６を、それぞれ設けている。
【００１３】
図７は構成部品の側面図、図８はクランクケース側から見た状態を示す図、図９はエアクリーナー側から見た状態を示す図である。また、図１０は本体ボルト１０の断面図、図１１はインナーボルト２０の両側面及び断面図、図１２はＯリング３０の側面及び断面図、さらに、図１３は全構成部品を組み立てた状態のブリーザーボルト１の断面図である。
【００１４】
インナーボルト２０は、外側面に本体ボルト１０に貫入羅合する外ネジを、内部にはクランクケース側端からエアクリーナ側端へと貫通する貫通孔２２を設けており、貫通孔２２の内側面は、六角レンチにて本体ボルト１０にインナーボルト２０を着脱するための六角面を形成している。なお、貫通孔２２のエアクリーナー側の開口部２１の直径は貫通孔２２の直径よりも小さく構成している。
【００１５】
図１４はブリーザーボルト１のバルブ機構の動作を示す断面図であり、左図はクランクケース内のガスが高圧の状態（Ｐ＋）を示し、右図は負圧の状態（Ｐ−）を示す。エンジン運転中にクランクケース内が高圧になると、ブローバイガスＧがインナーボルト２０の貫通孔２２を通して本体ボルト１０の通気路１４内に侵入し、所定の圧力を超えた場合にはスプリング５０の反撥力に抗して通気路１４内でチェックボール４０をエアクリーナー側に移動させる。これによりチェックボール４０とＯリング３０が離反し、通気路１４の内壁とチェックボール４０との隙間を通じてブローバイガスＧが通気路１４内を通過し、本体ボルト頭部１３の開口部からエアクリーナー内へと排気されてエンジンの燃焼室へと還流される。なお、前記バルブ機構が作動するブローバイガスＧの圧力は、スプリング５０の反撥力を変えることにより適宜調整可能であるが、スプリング５０の反撥力は、クランクケースの内圧が外気圧と平衡した状態においてチェックボール４０をＯリング３０に当接させ得る程度で十分であり、必ずしも強固にチェックボール４０を押圧して通気路１４を封鎖する必要はない。
【００１６】
次に、ブローバイガスＧの排出によりクランクケース内の圧力が低下すると、スプリング５０の反撥力によりチェックボール４０はクランクケース側に押し戻されてＯリング３０に当接し、通気路１４は閉鎖される。このため、アップストローク時にクランクケース内が負圧になっても、エアクリーナー側から外気が通気路１４を通してクランクケース内に吸入されることが防がれる。エンジンの運転中は燃焼室からクランクケース内へのブローバイガスＧの漏出は続くが、再度クランクケース内のガス圧が所定の圧力を超えると都度上記の行程で排気されるため、クランクケース内は概ね緩やかな負圧状態が維持される。しかも、常時双方向の通気を許す従来のブリーザーボルトを使用した場合に比べて、圧力の変動幅は大幅に抑制される。
【００１７】
以上のとおり、ブリーザーボルト１を従来のものと交換することにより、エンジン運転中におけるクランクケース内のガス圧が低く保たれ、その変動幅も抑制されるため、ピストンの上下動に対する気圧抵抗が軽減される。これにより、エンジンの回転効率が改善され、出力向上と燃費改善の効果が発揮される。また、クランクケース内の圧力が低減されることにより、接合部やシール部等からのオイルの滲出や未燃焼ガスの漏出といった問題も改善される。
【００１８】
表１は、本願考案者がシャーシダイナモを使用してＶ型２気筒エンジンを搭載する自動二輪車で行った性能試験の結果を示す。左のグラフはエンジン回転数に対する出力曲線、右のグラフは同トルク曲線であり、本願考案に係るブリーザーボルト１を装着した場合、一般的に普及している従来品を装着した場合に比べ、出力・トルクともに回転数の概ね全域で５％前後の向上が確認された。また、エンジン回転数の上昇に要する時間、いわゆる「吹け上がり」も向上し、アクセルオン・オフ時のギクシャク感も低減するなど、エンジン特性の体感的な改善もみられた。
【表１】
0003208858.tif 000003
【００１９】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【産業上の利用可能性】
【００２０】
本考案に係るブリーザーボルトは、純正品または市販のブリーザーボルトと交換するだけで、容易にＶ型２気筒エンジンの回転効率を向上させることができる。特殊な工具や大掛かりな分解・組立を必要とせず容易に交換可能であるため、一般ユーザによるカスタマイズにおける普及が期待できるものである。
【図面の簡単な説明】
【００２１】
【図１】Ｖ型２気筒エンジン搭載自動二輪車を例示する写真。
【図２】エアクリーナーの外観写真。
【図３】エアクリーナーのカバーを取り外した状態の外観写真。
【図４】エアクリーナーのエレメントを取り外した状態の外観写真。
【図５】エアクリーナー自体を取り外した状態の外観写真。
【図６】実施形態に係るブリーザーボルト１の外観及び構成部品の斜視図。
【図７】同ブリーザーボルト１の構成部品の側面図。
【図８】同ブリーザーボルト１をクランクケース側から見た状態を示す図。
【図９】同ブリーザーボルト１をエアクリーナー側から見た状態を示す図。
【図１０】同本体ボルト１０の断面図。
【図１１】同インナーボルト２０の両側面及び断面図。
【図１２】同Ｏリング３０の側面及び断面図。
【図１３】同全構成部品を組み立てた状態のブリーザーボルト１の断面図。
【図１４】同ブリーザーボルト１のバルブ機構の動作を示す断面図。
【符号の説明】
【００２２】
Ａ         外気
Ｇ         ブローバイガス
１           ブリーザーボルト
１０    本体ボルト
１１    ネジ部
１２    六角ナット部
１３    頭部
１４    通気路
１５    周溝
１６    段差
２０       インナーボルト
２１       開口部
２２    貫通孔
３０    Ｏリング
４０    チェックボール
５０    スプリング
【図１】
0003208858.tif 000004
【図２】
0003208858.tif 000005
【図３】
0003208858.tif 000006
【図４】
0003208858.tif 000007
【図５】
0003208858.tif 000008
【図６】
0003208858.tif 000009
【図７】
0003208858.tif 000010
【図８】
0003208858.tif 000011
【図９】
0003208858.tif 000012
【図１０】
0003208858.tif 000013
【図１１】
0003208858.tif 000014
【図１２】
0003208858.tif 000015
【図１３】
0003208858.tif 000016
【図１４】
0003208858.tif 000017